(57)【要約】【課題】バースト送信信号の送信に当たって、全パワーレベルにおいてスイッチングトランジェント特性を満たすようにする。【解決手段】送信出力制御装置１０は、ランプ電圧に応じて制御され、高周波信号を増幅してバースト送信信号として出力する増幅手段５１と、増幅手段におけるパワーレベルとランプ電圧との関係を規定する関数が設定され、関数に基づいて増幅手段のパワーレベルに応じたランプ電圧を増幅手段に与える波形整形手段５２とを備えている。【選択図】図２
2010263417.tif 000002
【特許請求の範囲】
【請求項１】
ランプ電圧に応じて制御され、高周波信号を増幅してバースト送信信号として出力する増幅手段と、
前記増幅手段におけるパワーレベルと前記ランプ電圧との関係を規定する関数が設定され、前記関数に基づいて前記増幅手段のパワーレベルに応じた前記ランプ電圧を前記増幅手段に与える波形整形手段とを有する送信出力制御装置。
【請求項２】
前記関数は、前記パワーレベルの変化に応じて、前記バースト送信信号の立上がり及び立下りの単位時間当たりの変化量がそれぞれ連続的に逓増及び逓減して変化する形状となるランプ電圧を決定する関数である請求項１に記載の送信出力制御装置。
【請求項３】
前記波形整形手段は、前記関数に応じて前記パワーレベルに応じたランプ電圧をランプシェープデータとして出力するランプシェープデータ生成手段と、
前記ランプシェープデータをＤ／Ａ変換して、前記ランプ電圧とするＤ／Ａ変換器とを有する請求項１又は２記載の送信出力制御装置。
【請求項４】
前記波形整形手段は、ベースバンド信号が入力され、前記高周波信号を出力する高周波ＩＣと、
前記関数に応じて前記パワーレベルに応じたランプ電圧をランプシェープデータとして出力するランプシェープデータ生成部とを有し、
前記高周波ＩＣには、前記ランプシェープデータをＤ／Ａ変換して、前記ランプ電圧とするＤ／Ａ変換器が備えられ、
前記関数は、前記増幅手段、前記高周波ＩＣ、及び前記Ｄ／Ａ変換器の特性に基づいて決定される請求項１又は２記載の送信出力制御装置。
【請求項５】
前記高周波ＩＣを動作させるドライバソフトが格納されメモリを有し、
前記関数は前記ドライバソフトに組み込まれていることを特徴とする請求項４記載の送信出力制御装置。
【請求項６】
高周波信号を増幅してバースト送信信号を出力する増幅器を有する送信出力制御装置に、
前記増幅器におけるパワーレベルとランプ電圧との関係を規定する関数に基づいて前記増幅器のパワーレベルに応じた前記ランプ電圧を前記増幅器に与え、
前記増幅器に前記ランプ電圧に応じて前記バースト送信信号の波形整形を行わせるプログラム。
【請求項７】
前記関数は、前記パワーレベルの変化に応じて、前記バースト送信信号の立上がり及び立下りの単位時間当たりの変化量がそれぞれ連続的に逓増及び逓減して変化する形状となるランプ電圧を決定する関数である請求項６に記載のプログラム。
【請求項８】
高周波信号を増幅してバースト送信信号を出力する増幅器を有する送信出力制御装置に、
前記増幅器におけるパワーレベルとランプ電圧との関係を規定する関数に基づいて前記増幅器のパワーレベルに応じた前記ランプ電圧を前記増幅器に与え、
前記増幅器に前記ランプ電圧に応じて前記バースト送信信号の波形整形を行わせる送信出力制御方法。
【請求項９】
前記関数は、前記パワーレベルの変化に応じて、前記バースト送信信号の立上がり及び立下りの単位時間当たりの変化量がそれぞれ連続的に逓増及び逓減して変化する形状となるランプ電圧を決定する関数である請求項９に記載の送信出力制御方法。
【発明の詳細な説明】
【技術分野】
【０００１】
本発明は、無線機器で用いられる送信出力制御装置に関し、特に、ＴＤＭＡ（Ｔｉｍｅ  Ｄｉｖｉｓｉｏｎａｌ  ｍｕｌｔｉｐｌｅ  Ａｃｃｅｓｓ）方式等を用いた無線送信機において、広いダイナミックレンジに亘って安定的に送信出力制御を行うための送信出力制御装置に関する。
【背景技術】
【０００２】
一般に、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）等の移動通信システムにおいては、ＴＤＭＡ方式を用いて送受信を行うものが知られている。このＴＤＭＡ方式では、各移動局には予め定められたチャンネル（タイムスロット）が割り当てられ、基地局からは各チャンネルに送信信号が割り当てられて連続的送出される。そして、各移動局では自己に割り当てられたチャンネルの送信信号を受信する。
【０００３】
一方、移動局から基地局に対して送信する際には、自己のチャネルに対して送信信号を割り当て送信する。つまり、移動局では、バースト状に送信信号（以下バースト送信信号と呼ぶ）を送出することになる。
【０００４】
このような移動通信システムにおいては、送受信回線品質の維持のために、送信バースト出力レベルの自動送信出力制御を行うとともに、バーストオン・オフ時における送信スペクトラムの周波数軸上での隣接チャネルへの拡散を防止することが行われている（Ａｕｔｏｍａｔｉｃ  Ｐｏｗｅｒ  Ｃｏｎｔｒｏｌ（ＡＰＣ））。
【０００５】
つまり、ＴＤＭＡ方式を用いた移動通信システムでは，バースト送信の際、バースト送信信号のランプ立上がり（ランプアップ）とランプ立下り（ランプダウン）の形状（シェープ）を制御して隣接チャネルへの拡散を防止している。
【０００６】
上記のバースト信号のランプアップ及びランプダウンのシェープ制御を行う際には、まず、基本となる基本ランプシェープを生成する。そして、この基本ランプシェープをベースとして、スケーリング係数を用いて出力レベル（パワーレベル）に応じて、ランプアップ時及びランプダウン時のシェープ（以下単にランプシェープと呼ぶ）を生成するようにしている。
【０００７】
上記のようにして生成したランプシェープは、Ｄ／Ａ（Ｄｉｇｉｔａｌ−Ａｎａｌｏｇ）変換器によってランプ電圧に変換される。そして、このランプ電圧によってパワーアンプの出力制御を行いつつバースト送信信号を送信する。
【０００８】
また、ＲＦ（Ｒａｄｉｏ  Ｆｒｅｑｕｅｎｃｙ）送信信号のランプアップの際における不要輻射のレベルを低減するため、ＲＦ送信信号のランプアップの途中でＲＦ  ＩＣ（Ｒａｄｉｏ  Ｆｒｅｑｕｅｎｃｙ  Ｉｎｔｅｇｒａｔｅｄ  Ｃｉｒｃｕｉｔ）の内部動作を調整するようにしたものがある（例えば、特許文献１参照）。そして、特許文献１においては、ＲＦ  ＩＣの内部動作の調整によって、ＲＦ送信信号のランプアップの途中でＲＦ送信信号の出力レベルのアップを実質的に停止する又は出力レベルをダウンするようにしている。
【先行技術文献】
【特許文献】
【０００９】
【特許文献１】特開２００８−２７８１１９号公報
【発明の概要】
【発明が解決しようとする課題】
【００１０】
ところで、Ｄ／Ａ変換器の出力電圧（つまり、ランプ電圧）は、Ｄ／Ａ変換器のビット分解能及び出力ダイナミックレンジに依存する。つまり、ランプ電圧は、Ｄ／Ａ変換器のビット分解能及び出力ダイナミックレンジによって制限されることになる。この結果、上述のようにして生成されたランプシェープによるランプ電圧を用いて、パワーアンプの出力制御を行うと、あるパワーレベルからランプアップとランプダウンのカーブに不連続を生じることがある。
【００１１】
例えば、図４に示すように、基本ランプシェープによる出力制御を行うと、実線で示す出力が得られる。ここでは、パワーレベル（Ｐｏｗｅｒ  Ｌｅｖｅｌ）Ａまで出力（バースト信号）は連続的に立上がり、そして、パワーレベルＡから連続的に立下がる。
【００１２】
一方、スケーリング係数を用いたランプシェープによる出力制御を行うと、破線で示す出力が得られる。ここでは、パワーレベルＢに立上がる際、不連続が生じ、同様に、パワーレベルＢから立ち下がる際においても不連続が生じる。
【００１３】
このように、バースト送信信号のランプアップ及びランプダウンの際に、不連続が生じるか又は急激な立上がり、立下りが生じると、所謂スイッチングトランジェント（Ｓｗｉｔｃｈｉｎｇ  Ｔｒａｎｓｉｅｎｔ）等の特性が劣化してしまうという課題がある。つまり、全パワーレベルにおいてスイッチングトランジェント特性を満たすことができないという課題がある。
【００１４】
このため、本発明の目的は、全パワーレベル（全出力レベル）において、スイッチングトランジェント特性を満たすことのできる送信出力制御装置を提供することにある。
【課題を解決するための手段】
【００１５】
かかる目的を達成するため本発明の一形態である送信出力制御装置は、
ランプ電圧に応じて制御され、高周波信号を増幅してバースト送信信号として出力する増幅手段と、
前記増幅手段におけるパワーレベルと前記ランプ電圧との関係を規定する関数が設定され、前記関数に基づいて前記増幅手段のパワーレベルに応じた前記ランプ電圧を前記増幅手段に与える波形整形手段とを有している。
【００１６】
また、本発明の他の形態であるプログラムは、
高周波信号を増幅してバースト送信信号を出力する増幅器を有する送信出力制御装置に、
前記増幅器におけるパワーレベルとランプ電圧との関係を規定する関数に基づいて前記増幅器のパワーレベルに応じた前記ランプ電圧を前記増幅器に与え、
前記増幅器に前記ランプ電圧に応じて前記バースト送信信号の波形整形を行わせる、というプログラムである。
【００１７】
さらに、本発明の他の形態である送信出力制御方法は、
高周波信号を増幅してバースト送信信号を出力する増幅器を有する送信出力制御装置に、
前記増幅器におけるパワーレベルとランプ電圧との関係を規定する関数に基づいて前記増幅器のパワーレベルに応じた前記ランプ電圧を前記増幅器に与え、
前記増幅器に前記ランプ電圧に応じて前記バースト送信信号の波形整形を行わせるものどある。
【発明の効果】
【００１８】
本発明は、以上のように構成することによって、バースト送信信号におけるランプアップ及びランプダウンのシェープ（形状）の不連続性を解消して、スムーズな波形の有するバースト送信信号を出力することができる。そして、ランプシェープの不連続性、急激な立上がり及び立下りに起因するスイッチングトランジェント特性を改善することができる。
【図面の簡単な説明】
【００１９】
【図１】本発明の実施形態１による送信出力制御装置の構成を示すブロック図である。
【図２】本発明の実施形態２による送信出力制御装置の一例の構成を示すブロック図である。
【図３】本発明の実施形態２による送信出力制御装置の一例の構成を示すブロック図である。
【図４】一般的なパワーレベルとランプシェープとの関係を示す図である。
【発明を実施するための形態】
【００２０】
＜実施形態１＞
本発明の第１の実施形態を、図１を参照して説明する。図１は送信出力制御装置の構成を示すブロック図である。ここで、本実施形態は、後述する実施形態２において説明する送信出力制御装置の具体的な一例を示すものである。
【００２１】
［構成］
図１に示す送信出力制御装置１０は、例えば、移動通信システムの移動局（図示せず）で用いられる。そして、この移動通信システムにおいては、例えば、ＴＤＭＡ方式によって各移動局と基地局とが通信を行うものとする。また、各移動局は、ベースバンド周波数帯の２系列のデジタル変調波Ｉ（Ｉｎ  Ｐｈａｓｅ）及びＱ（Ｑｕａｄｒａｔｕｒｅ  Ｐｈａｓｅ）を、例えば、ＧＭＳＫ（Ｇａｕｓｓｉａｎ  Ｍｉｎｉｍｕｍ  Ｓｈｉｆｔ  Ｋｅｙｉｎｇ  ）変調する（以下ＧＭＳＫ信号と呼ぶ）。
【００２２】
そして、各移動局では、ＧＭＳＫ信号の周波数を、アンテナ送信周波数に変換・増幅した後、後述するようにしてバースト送信信号として送信する。つまり、各移動局は、ベースバンド回路（図示せず）において生成したベースバンド信号を変調して変調信号とする（ここでは、上述のようにＧＭＳＫが用いられる）。そして、この変調信号の周波数を、アンテナ送信周波数に変換した後、増幅してバースト送信信号として当該移動局に割り当てられたチャネルで送信することになる。
【００２３】
図１に示すように、送信出力制御装置１０は、無線部１１及びバースト波形整形部１２を有している。無線部１１は、ＲＦ  ＩＣ２１及びパワーアンプモジュール２２を有しており、パワーアンプモジュール２２がアンテナ２３に接続されている。図示の例では、ＲＦ  ＩＣ２１に、上述のベースバンド信号が与えられ、ＲＦ  ＩＣ２１はベースバンド信号を変調処理して変調信号とし、この変調信号の周波数をアンテナ送信周波数に変換する（ＲＦ（Ｒａｄｉｏ  Ｆｒｅｑｕｅｎｃｙ）信号とする）。その後、ＲＦ信号は、パワーアンプモジュール２２で増幅され、アンテナ２３からバースト送信信号として送信される。
【００２４】
図示のように、ＲＦ  ＩＣ２１は、デジタル・アナログ変換器（ＤＡＣ：ｄｉｇｉｔａｌ  Ａｎａｌｏｇ  Ｃｏｎｖｅｒｔｅｒ）２１ａを有している。このＤＡＣ２１ａは、バースト波形整形部１２から与えられるランプシェープデータ（後述する）をＡ／Ｄ変換して、ランプ電圧とする。そして、このランプ電圧はパワーアンプモジュール２２に与えられる。パワーアンプモジュール２２は、ランプ電圧に応じてＲＦ信号を整形してバースト送信信号とする。
【００２５】
バースト波形整形部１２は、メモリ３１及びランプシェープデータ生成部３２を有している。メモリ３１にはドライバソフト３１ａが格納され、このドライバソフト３１ａには、後述するランプシェープ関数（送信レベル（パワーレベル）とランプ電圧との関係を規定する関数）３１ｂが含まれている（埋め込まれている）。
【００２６】
パワーアンプモジュール２２の出力レベル、つまり、パワーレベルは、パワーレベル検知器４１で検知され、パワーレベル検知器４１はパワーレベル情報を出力する。そして、ランプシェープデータ生成部３２は、ランプシェープ関数をメモリ３１から読み出し、このパワーレベル情報に適合したランプシェープデータをランプシェープ関数に基づいて生成する。このランプシェープデータは、前述のように、ＤＡＣ２１ａに与えられる。
【００２７】
［動作］
続いて、上述した送信出力制御装置１０の動作の一例について、図１を参照して説明する。ここでは、まず、メモリ３１に格納するランプシェープ関数３１ｂの生成について説明する。
【００２８】
ランプシェープ関数３１ｂを生成する際には、ＲＦ  ＩＣ２１、ＤＡＣ２１ａ、パワーアンプモジュール２２の特性を考慮する。つまり、送信出力制御装置１０について事前に（例えば、製作過程で）、ＤＡＣ２１ａから出力されるランプ電圧とパワーアンプモジュール２２の出力特性との関係を調べる。そして、その結果に応じてパワーレベルとランプ電圧との関係を規定するランプシェープ関数（ランプ関数）を生成する。これによって、送信出力制御装置１０毎に、ＲＦ  ＩＣ２１、ＤＡＣ２１ａ、パワーアンプモジュール２２の特性のバラツキを考慮したランプシェープ関数を得ることができる。
【００２９】
例えば、パワーアンプモジュール２２のパワーレベル（出力レベル）を変化させつつ、ランプ電圧を変化させる。そして、バースト送信信号において、その立上がり及び立下りがスムーズな波形となるランプ電圧をパワーレベル毎に決定する。このようにして得られたパワーレベルとランプ電圧との関係に基づいてランプシェープ関数を求めることになる。
【００３０】
ランプシェープ関数３１ｂは、ランプ電圧（Ｖｒａｍｐ）とパワーレベル（Ｘ）との関係を表す関数であり、例えば、ここでは、まず、ランプ電圧（Ｖｒａｍｐ）を、数１に設定する（数１で示すランプシェープ関数は、立上がり及び立下り時のランプ電圧を表している）。
【００３１】
（数１）
Ｖｒａｍｐ＝（多項式１）＋（多項式２）×ｃｏｓ２πｆｔ
ここで、ｆはランプシェープの周期、ｔはランプシェープの時間を表す。
【００３２】
上記の多項式１は、ＲＦ  ＩＣ２１におけるＤＡＣ２１ａの出力能力を決定するものであり、一般に既知の関数である（なお、多項式１は常数でもよい）。
【００３３】
ここで、Ｖｒａｍｐ＝多項式３とする。この多項式３は、パワーアンプモジュール２２の特性を表し、パワーアンプモジュール２２を評価することによって求められる。例えば、前述したように、評価の際には、パワーアンプモジュール２２に与えるランプ電圧を変化させて、パワーアンプモジュール２２のパワーレベルを測定する。そして、ランプ電圧−出力レベルを計算して、多項式３を求める。つまり、多項式３は、ランプシェープ時間（ｔ）＝０の際のパワーレベルに関する関数である。
【００３４】
言い換えると、多項式１はＤＡＣ２１ａからの出力電圧（ランプ電圧）の最小値で決定され、一方、多項式３はパワーレベルに応じてパワーアンプモジュール２２に与えられるランプ電圧で決定される。
【００３５】
なお、各多項式１、２、及び３は、それぞれＡ＊Ｘ２＋Ｂ＊Ｘ＋Ｃの形式で表され、パワーレベル（Ｘ）との関係を表すものである（Ａ、Ｂ、及びＣは定数である）。
【００３６】
続いて、上記の数１において、ｔ＝０とすると、Ｖｒａｍｐ＝多項式１＋多項式２となる。Ｖｒａｍｐ＝多項式３であるから、多項式２は下記の数２で表される。
【００３７】
（数２）
多項式２＝多項式３−多項式１
【００３８】
数２によって、多項式２が求められ、数１からランプ電圧（Ｖｒａｍｐ）を求めることができる。つまり、バースト送信時におけるランプシェープ関数３１ｂは、（数１）−（数２）で求めることができる。
【００３９】
そして、このようにして求められたランプシェープ関数３１ｂは、ドライバソフト３１ａを作成する際に、ドライバソフト３１ａに埋め込まれることになる（例えば、このドライバソフト３１ａによって、ＲＦ  ＩＣ２１が動作する）。
【００４０】
上記のように、ランプシェープ関数３１ｂ（つまり、ドライバソフト３１ａ）をメモリ３１に記憶した後、送信出力制御装置１０を実際に動作させる。パワーアンプモジュール２２におけるパワーレベルは、パワーレベル検知器４１によって計測され、パワーレベル情報としてランプシェープデータ生成部３２に与えられる。
【００４１】
ランプシェープデータ生成部３２は、メモリ３１からランプシェープ関数３１ｂを読み込む。そして、ランプシェープデータ生成部３２は、パワーレベル情報に対応するランプ電圧をランプシェープ関数３１ｂに応じて決定し、ランプシェープデータ（デジタルデータ）とする。
【００４２】
ランプシェープデータ生成部３２は、このランプシェープデータをＤＡＣ２１ａに与える。ＤＡＣ２１ａはランプシェープデータをＤ／Ａ変換して、ランプシェープデータに応じたランプ電圧を出力する。このランプ電圧は、前述のように、ＲＦ  ＩＣ２１、ＤＡＣ２１ａ、及びパワーアンプモジュール２２の特性を考慮したものとなっている。
【００４３】
一方、ＲＦ  ＩＣ２１にはベースバンド信号が与えられ、前述のように、ベースバンド信号は、ＲＦ  ＩＣ２１で変調された後、ＲＦ信号とされる。このＲＦ信号は、パワーアンプモジュール２２で増幅される。この際、パワーアンプモジュール２２は、パワーレベルに応じたランプ電圧によって制御されることになり、ＲＦ信号をバースト送信信号としてアンテナ２３から送信する。
【００４４】
この結果、パワーアンプモジュール２２の出力パワーレベルに関係なく、スムーズな立上がり及び立下りを有するバースト送信信号を出力することができる。その結果、全パワーレベルにおいてスイッチングトランジェント特性を満たすことができる。
【００４５】
このようにして，ドライバソフト３１ａに埋め込んだランプシェープ関数３１ｂによって、パワーレベルに適したスムーズな形状のランプシェープを生成することができる。そして、これによって、全パワーレベルに亘ってスイッチングトトランジェント特性を満たすことができる。つまり、バースト送信信号のランプアップ及びランプダウンにおけるシェープ（形状）の不連続性を解消し、スイッチングトランジェント特性の劣化を改善することができる。
【００４６】
言い換えると、パワーアンプモジュール２２のパワーレベル（出力レベル）を変化させると、最適なランプ電圧が変化することになる。この際に、ランプシェープ（ランプ電圧）が固定された状態であれば、ランプアップ及びランプダウンの際に、パワーアンプモジュール２２の特性に影響されて、ランプアップ及びランプダウンが階段状となってしまう。この結果、スイッチングトランジェント特性が劣化するという事態が発生する。
【００４７】
一方、上述のように、ランプシェープ関数を用いて、パワーアンプモジュール２２のパワーレベルに応じたランプ電圧をパワーアンプモジュール２２に供給する。これによって、パワーレベルに応じた最適のランプ電圧がパワーアンプモジュール２２に供給され、アンプアップ及びランプダウンが階段状に変化することを防止できる。よって、バースト送信信号のランプアップ及びランプダウンにおけるシェープ（形状）の不連続性を解消し、スイッチングトランジェント特性の劣化を改善することができる。
【００４８】
つまり、ランプシェープ関数によって、バースト送信信号のランプアップ及びランプダウンの単位時間当たりの変化量がそれぞれ連続的に逓増及び逓減して変化する形状となるランプ電圧を決定する。そして、このように決定されたランプ電圧をパワーアンプモジュール２２に供給する。これによって、パワーレベルに応じた最適のランプ電圧がパワーアンプモジュール２２に供給されことになって、アンプアップ及びランプダウンが階段状に変化することを防止できることになる。
【００４９】
なお、上述の説明から明らかなように、本実施形態では、パワーアンプモジュール２２が増幅手段を構成する。また、ＲＦ  ＩＣ２１（ＤＡＣ２１ａを含む）、メモリ３１（つまり、ランプシェープ関数３１ｂ）、ランプシェープデータ生成部３２、及びパワーレベル検知器４１が集合的に波形整形手段を構成することになる。
【００５０】
＜実施形態２＞
本発明による第２の実施形態を、図２を参照して説明する。図２は、本実施形態２による送信出力制御装置の一例の構成を示すブロック図である。なお、本実施形態２では、送信出力制御装置の概略を説明する。
【００５１】
図２に示すように、本実施形態における送信出力制御装置１０は、
ランプ電圧に応じて制御され、高周波（ＲＦ）信号を増幅してバースト送信信号として出力する増幅手段５１と、
増幅手段５１におけるパワーレベルとランプ電圧との関係を規定する関数が設定され、この関数に基づいて増幅手段５１のパワーレベルに応じたランプ電圧を増幅手段５１に与える波形整形手段５２とを備えている。
【００５２】
例えば、上記の関数は、増幅手段５１のパワーレベルの変化に応じて、バースト送信信号の立上がり及び立下りの単位時間当たりの変化量がそれぞれ連続的に逓増及び逓減して変化する形状となるランプ電圧を決定する関数である。
【００５３】
このように、パワーレベルとランプ関数との関係を規定する関数に応じて、ランプ電圧を生成して、増幅手段５１を制御するようにすれば、全パワーレベルに亘って、立上がり及び立下りのスムーズな（不連続性のない）バースト送信信号を得ることができる。
【００５４】
本実施形態２による送信出力制御装置１０では、波形整形手段５２は、上記の関数に応じてパワーレベルに応じたランプ電圧をランプシェープデータとして出力するランプシェープデータ生成手段５２ａと、
このランプシェープデータをＤ／Ａ変換して、ランプ電圧とするＤ／Ａ変換器５２ｂとを備えている。
【００５５】
このようにして、上記の関数に応じてランプシェープデータを生成し、このランプシェープデータをランプ電圧に変換して増幅手段５１を制御してバースト送信信号を出力するようにしたので、容易に立上がり及び立下りのスムーズなバースト送信信号を出力することができる。
【００５６】
図３に示すように、波形整形手段５２は、ベースバンド信号が入力され、高周波信号を出力する高周波ＩＣ（ＲＦ  ＩＣ）５３ａと、
上記の関数に応じてパワーレベルに応じたランプ電圧をランプシェープデータとして出力するランプシェープデータ生成部５３ｂとを備えて、
ＲＦ  ＩＣ５３ａ内に、ランプシェープデータをＤ／Ａ変換して、ランプ電圧とするＤ／Ａ変換器５３ｃを有し、
上記の関数を、増幅手段５１、ＲＦ  ＩＣ５３ａ、及びＤ／Ａ変換器５３ｃの特性に基づいて決定するようにしてもよい。
【００５７】
このようにすれば、増幅手段５１、ＲＦ  ＩＣ５３ａ、及びＤ／Ａ変換器５３ｃの特性のバラツキに拘わりなく、常にバースト送信信号の立上がり及び立下りを、全パワーレベルに亘ってスムーズにすることができる。
【００５８】
なお、図３に示すように、ＲＦ  ＩＣ５３ａを動作させるドライバソフト５４ａが格納されメモリ５４を有して、上記の関数をドライバソフト５４ａに組み込むようにしてもよい。このようにすれば、別にメモリを設ける必要がない。
【００５９】
また、上述した送信出力制御装置は、マイクロコンピュータを有する送信出力制御装置にプログラムを組み込むことによっても実現できる。具体的には、本発明の他の実施形態であるプログラムは、
高周波信号を増幅してバースト送信信号を出力する増幅器を有する送信出力制御装置に、
上記の増幅器におけるパワーレベルとランプ電圧との関係を規定する関数に基づいて、増幅器のパワーレベルに応じたランプ電圧を増幅器に与え、
この増幅器にランプ電圧に応じてバースト送信信号の波形整形を行わせる、という構成をとる。
【００６０】
そして、上記の関数は、例えば、増幅器のパワーレベルの変化に応じて、バースト送信信号の立上がり及び立下りの単位時間当たりの変化量がそれぞれ連続的に逓増及び逓減して変化する形状となるランプ電圧を決定する関数である。
【００６１】
さらに、上述した送信出力制御装置が動作することによって実行される、本発明の他の形態である送信出力制御方法は、
高周波信号を増幅してバースト送信信号を出力する増幅器を有する送信出力制御装置に、
上記の増幅器におけるパワーレベルとランプ電圧との関係を規定する関数に基づいて増幅器のパワーレベルに応じたランプ電圧を増幅器に与え、
増幅器にランプ電圧に応じてバースト送信信号の波形整形を行わせる、という構成をとる。
【００６２】
そして、上記の関数は、例えば、増幅器のパワーレベルの変化に応じて、バースト送信信号の立上がり及び立下りの単位時間当たりの変化量がそれぞれ連続的に逓増及び逓減して変化する形状となるランプ電圧を決定する関数である。
【００６３】
上記の構成を有するプログラム又は送信出力制御方法においても、上述した送信出力制御装置と同様の作用を有するので、上述した本発明の目的を達成することができる。
【産業上の利用可能性】
【００６４】
本発明は、バースト送信信号を送信する際、その立上がり及び立下りを全パワーレベルに亘ってスムーズにする送信機に適用できる。
【符号の説明】
【００６５】
１０  送信出力制御装置
１１  無線部
１２  バースト波形整形部
２１  ＲＦ  ＩＣ
２１ａ  Ｄ／Ａ変換器（ＤＡＣ）
２２  パワーアンプモジュール
２３  アンテナ
３１  メモリ
３２  ランプシェープデータ生成部
４１  パワーレベル検知器
【図１】
2010263417.tif 000003
【図２】
2010263417.tif 000004
【図３】
2010263417.tif 000005
【図４】
2010263417.tif 000006